(57)【要約】【課題】シンプルな形状の梱包箱を使用でき、梱包具自体を安価に製造でき、かつ竪樋支持具の収納作業を簡単、迅速に行える竪樋支持具用梱包具を提供する。【解決手段】複数の竪樋支持具５０が収容される梱包箱１０と、梱包箱１０の内底１１ａに配される載置台２０とを有しており、載置台２０は、山形状に突出した中央の稜線部２１より両側方に向けて降下傾斜した２つの傾斜面部２２、２２を有した形状とされており、傾斜面部２２に抱持部５１が載せ置かれ、取付部５２が他方の傾斜面部２２の方向に突出するように竪樋支持具５０が収容されるようになっている。【選択図】図１
2015224044.tif 000002
【特許請求の範囲】
【請求項１】
筒状の竪樋を外周方向より抱持する帯板環状の抱持部と、該抱持部より外方向に突出した棒状の取付部とよりなる竪樋支持具を整列させて梱包する竪樋支持具用梱包具であって、
複数の前記竪樋支持具が収容される梱包箱と、該梱包箱の内底に配される載置台とを有しており、
前記載置台は、山形状に突出した中央の稜線部より両側方に向けて降下傾斜した２つの傾斜面部を有した形状とされており、
前記傾斜面部に前記抱持部が載せ置かれ、前記取付部が他方の傾斜面部の方向に突出するように前記竪樋支持具が収容されるようになっていることを特徴とする竪樋支持具用梱包具。
【請求項２】
請求項１において、
前記載置台は、板体よりなり、該板体の中央で折り曲げられて前記稜線部が形成されていることを特徴とする竪樋支持具用梱包具。
【請求項３】
請求項１または２において、
前記梱包箱内に収容された前記竪樋支持具の上に配する、中央に山形状に突出した稜線部を有した中ふたをさらに備えており、
前記中ふたは、前記中ふたの稜線部を前記載置台の前記稜線部に略平行となるように前記梱包箱内に収容されることを特徴とする竪樋支持具用梱包具。
【請求項４】
請求項１〜３のいずれか１項において、
前記載置台の傾斜面部に、前記竪樋支持具の抱持部を立てて載置するための複数の載置凹部が並設されていることを特徴とする竪樋支持具用梱包具。
【発明の詳細な説明】
【技術分野】
【０００１】
本発明は、筒状の竪樋を外周方向より抱持する帯板環状の抱持部と、抱持部より外方向に突出した棒状の取付部とよりなる竪樋支持具を整列させて梱包する竪樋支持具用梱包具に関する。
【背景技術】
【０００２】
従来、竪樋支持具を出荷、輸送する際には、複数の竪樋支持具を梱包箱内に整列させて梱包していた（たとえば、特許文献１参照）。特許文献１の梱包箱は、箱内で竪樋支持具がずれ動かないように、取付部（打ち込み用の釘足）を嵌めいれて固定するための、櫛歯状に並んだ開口部が形成されている。
【先行技術文献】
【特許文献】
【０００３】
【特許文献１】特開２００６−１８２４４０号公報
【発明の概要】
【発明が解決しようとする課題】
【０００４】
しかしながら、上記のものでは、箱内に竪樋支持具を１つずつ、取付部を開口部に嵌め入れて収納しなければならないため、梱包に多くの時間を要する。また、そのような開口部を箱内に形成する必要があるから、製造コストもかかる。特に、特許文献１の図１に記載された梱包箱は、その外形が竪樋支持具の形状に概ね合致したいびつな形状となっているため、輸送や保管の際に梱包箱を積み上げることができない。
【０００５】
本発明は、このような種々の事情を考慮して提案されたもので、その目的は、シンプルな形状の梱包箱を使用でき、梱包具自体を安価に製造でき、かつ竪樋支持具の収納作業を簡単、迅速に行える竪樋支持具用梱包具を提供することにある。
【課題を解決するための手段】
【０００６】
上記目的を達成するために、請求項１に記載の竪樋支持具用梱包具は、筒状の竪樋を外周方向より抱持する帯板環状の抱持部と、抱持部より外方向に突出した棒状の取付部とよりなる竪樋支持具を整列させて梱包する竪樋支持具用梱包具であって、複数の前記竪樋支持具が収容される梱包箱と、梱包箱の内底に配される載置台とを有しており、載置台は、山形状に突出した中央の稜線部より両側方に向けて降下傾斜した２つの傾斜面部を有した形状とされており、傾斜面部に抱持部が載せ置かれ、取付部が他方の傾斜面部の方向に突出するように竪樋支持具が収容されるようになっている。
【０００７】
請求項２に記載の竪樋支持具用梱包具は、載置台が板体よりなり、板体の中央で折り曲げられて稜線部が形成されている。
【０００８】
請求項３に記載の竪樋支持具用梱包具は、梱包箱内に収容された竪樋支持具の上に配する、中央に山形状に突出した稜線部を有した中ふたをさらに備えており、中ふたは、中ふたの稜線部を載置台の稜線部に略平行となるように梱包箱内に収容されるようになっている。
【０００９】
請求項４に記載の竪樋支持具用梱包具は、載置台の傾斜面部に竪樋支持具の抱持部を立てて載置するための複数の載置凹部が並設されている。
【発明の効果】
【００１０】
請求項１に記載の竪樋支持具用梱包具によれば、上述した構成となっているため、シンプルな形状の梱包箱を使用でき、梱包具自体を安価に製造でき、かつ竪樋支持具の収納作業を簡単、迅速に行える。また、ダンボール箱などの直方体の箱を梱包箱として使用できるので、輸送や保管の際に積み上げることができる。
【００１１】
請求項２に記載の竪樋支持具用梱包具によれば、載置台が板体を折り曲げて形成されているため、簡易に載置台を形成でき、製造コストをさらに抑えることができる。
【００１２】
請求項３に記載の竪樋支持具用梱包具によれば、上述した形状の中ふたを備えているため、梱包箱内で収容された竪樋支持具に被せる仕切りふたとして使用できるので、竪樋支持具のぐらつきを防止できる。
【００１３】
請求項４に記載の竪樋支持具用梱包具によれば、載置台の傾斜面部に竪樋支持具の抱持部を立てて載置するための複数の載置凹部が形成されているため、竪樋支持具を安定した状態に梱包することができる。
【図面の簡単な説明】
【００１４】
【図１】本発明の一実施形態に係る竪樋支持具用梱包具の一例を示す説明図である。（ａ）は梱包箱と載置台の斜視図、（ｂ）は載置台が適所に配された梱包箱の縦断面図、（ｃ）は中ふたの斜視図である。
【図２】梱包箱に収容される竪樋支持具の説明図である。（ａ）は竪樋支持具の平面図、（ｂ）は同斜視図である。
【図３】梱包箱への梱包手順を模式的に示した縦断面図である。
【図４】（ａ）、（ｂ）は載置台の傾斜面部の他の形状例を示す部分斜視図である。
【図５】図１に示した梱包具の他の使用態様を示す縦断面図である。
【発明を実施するための形態】
【００１５】
以下に、本発明の実施形態について、添付図面を参照しながら説明する。まず、実施形態に係る竪樋支持具用梱包具の概略基本構成について説明する。
【００１６】
図１に示した竪樋支持具用梱包具１（以下、梱包具１という）は、筒状の竪樋３を外周方向より抱持する帯板環状の抱持部５１と、抱持部５１より外方向に突出した棒状の取付部５２とよりなる竪樋支持具５０（図２に例示）を整列させて梱包する竪樋支持具用の梱包具１である。
【００１７】
この梱包具１は、複数の竪樋支持具５０が収容される梱包箱１０と、梱包箱１０の内底１１ａに配される載置台２０とを有している（図１（ａ）参照）。この載置台２０は、山形状に突出した中央の稜線部２１より両側方に向けて降下傾斜した２つの傾斜面部２２、２２を有した形状とされている（図１（ｂ）参照）。梱包具１は、その傾斜面部２２に抱持部５１が載せ置かれ、取付部５２が他方の傾斜面部の方向に突出するようにして、竪樋支持具５０が収容されるようになっている。
【００１８】
つぎに、本梱包具１の詳細について、図１〜図３を参照しながら説明する。
【００１９】
本梱包具１は、上述したように、梱包箱１０と、載置台２０とを備えてなる（図１（ａ）、（ｂ）参照）。梱包箱１０は、平板で矩形状の底部１１と、底部１１の各辺より起立してなる４つの壁部１２、１２と、壁部１２、１２の上端側に形成されえた４片のふた１３、１３とを有したダンボール箱などの直方体形状の箱体である。載置台２０は梱包箱１０の内底１１ａに配される付属部材である。本実施形態では、梱包具１は他の付属部材として、図１（ｃ）に示した中ふた３０も有している。
【００２０】
図１の例では、載置台２０は板体により製されている。載置台２０の中央には、山折り状の稜線部２１が折り曲げ形成されている。
【００２１】
梱包箱１０および載置台２０はこのようにいずれも立体的な形状であるが、梱包具１として使用する前の段階では、梱包箱１０は折りたたんだ状態で、載置台２０は折り曲げずに平板な状態で保管しておけば保管スペースが小さくてすむ。そして、竪樋支持具５０の梱包作業をする際に図１（ａ）に示した形状に形成すればよい。載置台２０としては、平板なダンボール材に折り目を入れたものを用いればよい。
【００２２】
図１（ａ）、（ｂ）に示すように、載置台２０は、板体を折り目で折り曲げて、折り目によりできた稜線部２１に平行な両辺縁２０ａを、底部１１と壁部１２との入り隅にあてがって外方に向けて押圧させた状態で梱包箱１０の内底１１ａに設置されるようにすればよい。
【００２３】
この状態では、載置台２０には、山形状に突出した中央の稜線部２１より両側方に向けて降下傾斜した２つの傾斜面部２２、２２が形成されている。このように、簡単な作業で、梱包具を竪樋支持具を収納できる状態に組み立てることができる。
【００２４】
また、本実施形態で用いられる載置台２０に代えて、図１（ａ）に２点鎖線で付記した底部２０ｂを有した三角筒体状の載置台２０を用いてもよい。載置台２０をこのような形状にすれば、梱包箱１０の内底１１ａに置くだけでよいので、組立作業をさらに迅速に行うことができる。
【００２５】
また、図１（ｃ）に示した中ふた３０は、竪樋支持具５０を収納し終えたのちに、それらの上に被せる収納ふたである。この中ふた３０は中央に山形状に突出した稜線部３１を有しており、その稜線部３１を下方に向けて梱包箱１０内に収容される。本図例の中ふた３０は、図１（ａ）、（ｃ）に示すように、載置台２０と同一の形状であり、両部材はともに同一形状、同一寸法のダンボール材などの板体を用いて成形すればよい。
【００２６】
一方、梱包箱１０に梱包される竪樋支持具５０は、上述したように、抱持部５１と取付部５２とよりなる。抱持部５１は家屋の壁面等に沿って上下に設置される円筒状の竪樋３を抱持する環状体となっている。また、取付部５２は竪樋支持具５０を軒先の壁面に打ち込んで固定するための棒状体よりなる。
【００２７】
抱持部５１は、半円状の本体部５１ａと、その一端に回動可能にヒンジ結合され、本体部５１ａの他方の一端と係合により開閉自在とした半円状のふた部５１ｂとを有している。本体部５１ａとふた部５１ｂとで円筒状の竪樋３を抱持して、係合部５１ｃで係合できる構造となっている。なお、本体部５１ａおよびふた部５１ｂの適所には、補強用リブ５１ｄが形成されている。
【００２８】
取付部５２は、尖端５２ａを有した棒状体よりなり、抱持部５１の本体部５１ａの中央位置に外方向に突出するように固着されている。竪樋支持具５０は、この取付部５２が壁面に打ち込まれて固定されるようになっている。
【００２９】
ついで、図１に示した梱包具１の内部の構造について、図３に示した梱包手順図にもとづいて説明する。
【００３０】
梱包作業者は、まず、図１（ａ）、（ｂ）にも示したように、内底１１ａに載置台２０を収容した梱包箱１０を準備する。そして、その箱内空間に竪樋支持具５０を収納する。竪樋支持具５０は、抱持部５１を傾斜面部２２の上の壁部１２側に立てた状態にし、取付部５２は尖端５２ａが反対側の壁部１２を向くように収納される。このように収納することで、一方の傾斜面部２２に載置した竪樋支持具５０の尖端５２ａは稜線部２１を超えて突き出、反対側の傾斜面部２２に収納した竪樋支持具５０の尖端５２ａとクロスした状態となる。なお、竪樋支持具５０は複数のものを紐などであらかじめ結束しておき、それらを順次収納していくようにしてもよいし、１つずつ収納していくようにしてもよい。
【００３１】
こうして、作業者は、竪樋支持具を２つの傾斜面部２２、２２のそれぞれに並べていき、予定数の竪樋支持具５０の収納が完了すると、その上に中ふた３０を載せ置く。中ふた３０は、その稜線部３１が載置台２０の稜線部２１と略平行となるように向かい合わせて収容される。このとき中ふた３０は、壁部１２の上端よりも突出した状態であってもよい。その後、ふた１３、１３を閉じることで、ふた１３、１３が中ふた３０を下方に押圧し、中ふた３０の稜線部３１が取付部５２、５２同士のクロス部分を押さえて収納物が動かないようになる。
【００３２】
以上のように、本梱包具１を用いれば、竪樋支持具５０の収納作業を簡単に行える。しかも所定個数の竪樋支持具５０を整列させて梱包することができる。また、梱包具１を構成する各部材はきわめて簡易な形状、構造であるため、製造コストを低く抑えることができる。梱包箱１０はダンボール箱などの直方体の箱体を使用できるので、輸送や保管の際に積み上げることができ、省スペース化を図れる。
【００３３】
また、竪樋支持具５０は梱包箱１０内で抱持部５１が下側に配置されて傾斜状に収納されるようになっているので、いびつな形状の数多くの竪樋支持具５０を、収納空間を有効に生かして収納することができる。
【００３４】
さらに、梱包箱１０内では取付部５２の尖端５２ａが中央に配せられるので、運搬中などに尖端５２ａが梱包箱１０を突き破るような事態にもならず安全である。さらに、中ふた３０で竪樋支持具５０の取付部５２を押さえるようになっているため、気泡緩衝材などのクッション材を収納しなくても梱包箱１０内でのがたつきを防止できる。
【００３５】
図４（ａ）、（ｂ）は、竪樋支持具５０の梱包箱１０内でのずれを防止するようにした載置凹部２５Ａ、２５Ｂを有した載置台２０の形状の２例を示した部分斜視図である。
【００３６】
図４（ａ）の載置台２０は、その傾斜面部２２に等間隔に、棒状の仕切り材２４がその長手方向が傾斜方向を向くように固定してある。それによって仕切り材２４、２４間には載置凹部２５Ａが形成され、そこに複数の竪樋支持具５０を立てて載置、配列できるようになっている。
【００３７】
図４（ｂ）の載置台２０は、その傾斜面部２２に等間隔に矩形開口よりなる載置凹部２５Ｂが形成されている。竪樋支持具５０はその抱持部５１を載置凹部２５Ｂに嵌め入れて載置できるようになっている。
【００３８】
いずれの載置台２０、２０も、載置凹部２５Ａ、２５Ｂに所定数の竪樋支持具５０が載置されれば、横ずれは発生しにくく、梱包箱１０を安定した状態で運搬することができる。図４（ｂ）のものはさらに、抱持部５１が矩形開口に嵌まり込む構成であるから、竪樋支持具５０の傾斜面部２２の傾斜方向へのずれも防止できる。そのため、竪樋支持具５０の抱持部５１が梱包箱１０の壁部１２に接触することを回避でき、収容物が壁面に当たって梱包箱１０が破損するような事態を回避することができる。
【００３９】
つぎに、図１に示した梱包具１の他の使用態様について、図５を参照しながら説明する。
【００４０】
梱包具１としては、図１に示した梱包具１を構成する梱包箱１０、載置台２０、中ふた３０と同一のものか、あるいは寸法のみが異なるものが利用できる。
【００４１】
この使用態様では、竪樋支持具５０を立て置き収納した際の予定個数よりも少量の竪樋支持具５０を収納する場合に、図５に示すように、梱包箱１０に抱持部５１を寝かせた状態で収容できるようになっている。図５に示すように、２、３段に積み重ねて収納してもよい。
【００４２】
収納された竪樋支持具５０の上には、中ふた３０が稜線部３１、２１同士が略平行となるように被せられるが、配置の仕方は図１の使用態様とは異なり、中ふた３０は稜線部３１を上方に向けて収容されるようになっている。
【００４３】
このように、この梱包具１を用いれば、竪樋支持具５０を載置台２０、中ふた３０間に挟んだ状態で収納できるので、少量であっても竪樋支持具５０をがたつきなく梱包することができる。
【００４４】
図１および図５に示した梱包具１を用いれば、図１、図５いずれの使用態様であっても、載置台２０と内底１１ａとの間や、中ふた３０とふた１３との間に傾斜面による空間ができる。上述したように、載置台２０や中ふた３０は梱包箱１０内でずれ動く可能性は低いが、さらに上記空間に詰め物を収納して載置台２０や中ふた３０が位置ずれしないようにしてもよい。また、これらの空間には、竪樋の施工に必要なビス、ボルト、ナットなどの小物類を同梱することもできる。
【００４５】
以上には丸筒状の竪樋用の竪樋支持具の梱包の例について説明したが、上記梱包具１は、角筒状の竪樋を抱持する、角型の抱持部を有した竪樋支持具の梱包にも使用できる。
【符号の説明】
【００４６】
１          梱包具
３          竪樋
１０        梱包箱
１１        底部
１１ａ      内底
１２        壁部
１３        ふた
２０        載置台
２０ａ      辺縁
２０ｂ      底部
２１        稜線部
２２        傾斜面部
２４        仕切り材
２５Ａ      載置凹部
２５Ｂ      載置凹部（開口）
３０        中ふた
３１        稜線部
５０        竪樋支持具
５１        抱持部
５２        取付部
【図１】
2015224044.tif 000003
【図２】
2015224044.tif 000004
【図３】
2015224044.tif 000005
【図４】
2015224044.tif 000006
【図５】
2015224044.tif 000007
【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
筒状の竪樋を外周方向より抱持する帯板環状の抱持部と、該抱持部より外方向に突出した棒状の取付部とよりなる竪樋支持具を整列させて梱包する竪樋支持具用梱包具であって、
複数の前記竪樋支持具が収容される梱包箱と、該梱包箱の内底に配される載置台とを有しており、
前記載置台は、山形状に突出した中央の稜線部より両側方に向けて降下傾斜した２つの傾斜面部を有した形状とされており、
前記傾斜面部に前記抱持部が載せ置かれ、前記取付部が他方の傾斜面部の方向に突出するように前記竪樋支持具が収容されるようになっており、
前記梱包箱内に収容された前記竪樋支持具の上に配する、中央に山形状に突出した稜線部を有した中ふたをさらに備えており、
前記中ふたは、前記中ふたの稜線部を前記載置台の前記稜線部に略平行となるように前記梱包箱内に収容されることを特徴とする竪樋支持具用梱包具。
【請求項２】
請求項１において、
前記載置台は、板体よりなり、該板体の中央で折り曲げられて前記載置台の前記稜線部が形成されていることを特徴とする竪樋支持具用梱包具。
【請求項３】
請求項１または２において、
前記載置台の傾斜面部に、前記竪樋支持具の抱持部を立てて載置するための複数の載置凹部が並設されていることを特徴とする竪樋支持具用梱包具。
【手続補正２】
【補正対象書類名】明細書
【補正対象項目名】０００６
【補正方法】変更
【補正の内容】
【０００６】
上記目的を達成するために、請求項１に記載の竪樋支持具用梱包具は、筒状の竪樋を外周方向より抱持する帯板環状の抱持部と、抱持部より外方向に突出した棒状の取付部とよりなる竪樋支持具を整列させて梱包する竪樋支持具用梱包具であって、複数の前記竪樋支持具が収容される梱包箱と、梱包箱の内底に配される載置台とを有しており、載置台は、山形状に突出した中央の稜線部より両側方に向けて降下傾斜した２つの傾斜面部を有した形状とされており、傾斜面部に抱持部が載せ置かれ、取付部が他方の傾斜面部の方向に突出するように竪樋支持具が収容されるようになっており、梱包箱内に収容された竪樋支持具の上に配する、中央に山形状に突出した稜線部を有した中ふたをさらに備えており、中ふたは、中ふたの稜線部を載置台の稜線部に略平行となるように前記梱包箱内に収容されることを特徴とする。
【手続補正３】
【補正対象書類名】明細書
【補正対象項目名】０００７
【補正方法】変更
【補正の内容】
【０００７】
請求項２に記載の竪樋支持具用梱包具は、載置台が板体よりなり、板体の中央で折り曲げられて載置台の稜線部が形成されている。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項３に記載の竪樋支持具用梱包具は、載置台の傾斜面部に竪樋支持具の抱持部を立てて載置するための複数の載置凹部が並設されている。
【手続補正６】
【補正対象書類名】明細書
【補正対象項目名】００１０
【補正方法】変更
【補正の内容】
【００１０】
請求項１に記載の竪樋支持具用梱包具によれば、上述した構成となっているため、シンプルな形状の梱包箱を使用でき、梱包具自体を安価に製造でき、かつ竪樋支持具の収納作業を簡単、迅速に行える。また、ダンボール箱などの直方体の箱を梱包箱として使用できるので、輸送や保管の際に積み上げることができる。また、上述した形状の中ふたを備えているため、梱包箱内で収容された竪樋支持具に被せる仕切りふたとして使用できるので、竪樋支持具のぐらつきを防止できる。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項３に記載の竪樋支持具用梱包具によれば、載置台の傾斜面部に竪樋支持具の抱持部を立てて載置するための複数の載置凹部が形成されているため、竪樋支持具を安定した状態に梱包することができる。
【手続補正９】
【補正対象書類名】明細書
【補正対象項目名】００１７
【補正方法】変更
【補正の内容】
【００１７】
この梱包具１は、複数の竪樋支持具５０が収容される梱包箱１０と、梱包箱１０の内底１１ａに配される載置台２０とを有している（図１（ａ）参照）。この載置台２０は、山形状に突出した中央の稜線部２１より両側方に向けて降下傾斜した２つの傾斜面部２２、２２を有した形状とされている（図１（ｂ）参照）。梱包具１は、その傾斜面部２２に抱持部５１が載せ置かれ、取付部５２が他方の傾斜面部２２の方向に突出するようにして、竪樋支持具５０が収容されるようになっている。